(57)【要約】【課題】  毎月配布される検針票（料金票）の紛失を防止するとともに、検針票に記載された使用量や使用料金等を記入用頁に需要家に自ら記入させることで、月ごとの電気、ガス等の使用量等の変動・動向を把握させ、これにより省エネルギーや浪費防止の意識付けを行う。【解決手段】  エネルギー管理手帳（１０）には毎月配布される検針票（８）を貼付又はクリップするための添付用頁（１２）および検針票に記載された所定項目（Ａ）の月別の変動を記入するための記入用頁（１４）が含まれる。ここで前記記入用頁には、比較指標となる基準値（Ｂ）が予め印刷されている。また添付用頁の前ページには、検針票を覆った状態で前記所定項目（Ａ）のみの読み取りを可能とする窓部（１６）が形成された有色の検針票覆シート（１８）が更に含まれる。【選択図】  図２
2006001067.tif 000002
【特許請求の範囲】
【請求項１】
表紙（２）および裏表紙（４）に綴じ込んで固定される各種頁（６）を備えたエネルギー管理手帳（１０）であって、
前記各種頁には、毎月配布される検針票（８）を貼付又はクリップするための添付用頁（１２）および前記検針票に記載された所定項目（Ａ）の月別の変動を記入するための記入用頁（１４）が含まれる、ことを特徴とするエネルギー管理手帳。
【請求項２】
前記添付用頁（１２）には、毎月配布される同種の検針票（８）が新しい検針票を上側にして重ねて貼付又はクリップされる、ことを特徴とする請求項１に記載のエネルギー管理手帳。
【請求項３】
前記各種頁（６）には、前記検針票（８）の表面を覆い、かつ、検針票を覆った状態で前記所定項目（Ａ）の読み取りを可能とすべく所定事項が記載された位置に対応する部分のみが開口し又は透明の窓部（１６）が形成された有色の検針票覆シート（１８）が添付用頁の前ページに更に含まれる、ことを特徴とする請求項１又は２に記載のエネルギー管理手帳。
【請求項４】
前記検針票覆シート（１８）の前記窓部（１６）の近傍には、窓部を通して読み取られる前記検針票（８）の所定項目（Ａ）に関するガイダンスが印刷されている、ことを特徴とする請求項３に記載のエネルギー管理手帳。
【請求項５】
前記検針票覆シート（１８）は、表紙（２）を兼用する、ことを特徴とする請求項２乃至４に記載のエネルギー管理手帳。
【請求項６】
前記記入用頁（１４）には、記入される所定項目（Ａ）の比較指標となる基準値（Ｂ）が予め印刷されている、ことを特徴とする請求項１乃至５に記載のエネルギー管理手帳。
【請求項７】
前記検針票（８）は電力の検針票（８’）であり、前記所定項目（Ａ）は電気の使用量又は使用料金である、ことを特徴とする請求項１乃至６に記載のエネルギー管理手帳。
【請求項８】
前記電力の検針票（８’）に時間帯別の電気の使用量又は／及び使用料金が記載されている場合に、前記記入用頁には時間帯別の電気の使用量又は使用料金の月別の変動が記入される、ことを特徴とする請求項７に記載のエネルギー管理手帳。
【請求項９】
前記基準値（Ｂ）は、同一契約内容かつ同一地域の需要家の電気使用量又は電気料金の平均値である、ことを特徴とする請求項８に記載のエネルギー管理手帳。
【請求項１０】
前記基準値（Ｂ）は、同一需要家の前年同月の電気使用量又は電気料金である、ことを特徴とする請求項８に記載のエネルギー管理手帳。
【発明の詳細な説明】
【技術分野】
【０００１】
本発明はエネルギー管理手帳に関し、より詳細には主として電気、ガス、水道などについて需要家に毎月配布されるその使用量や使用料金を記載した検針票や料金票をまとめ、また、月ごとの使用量や使用料金の変動を需要家が一見してチェックすることができ、さらにその記載内容の理解促進に貢献することができるエネルギー管理手帳に関する。
【背景技術】
【０００２】
電気やガスなどの使用量や使用料金を記載した検針票（料金票を含む。）は毎月個々の契約家庭や会社、事務所、工場などの需要家に配布される。しかしながら契約家庭等の需要家はその請求金額（使用料金）が多いか少ないかを一見するのみで、その内容の検討を充分に行うことは少ない。
【０００３】
例えば、電力会社では日中と夜間の電力消費量の差や夏季とそれ以外の季節の電力消費量の差を縮め電力消費量の平準化（負荷平準化）を図ることを目的として、（１）主として電気温水器を設置している住宅を対象として夜間（例：夜１１時から朝８時）の電気料金を昼間の電気料金より割安とする料金体系、（２）電化住宅を対象としたオール電化割引が適用される料金体系、（３）電気温水器等を対象としたマイコン割引が適用される料金体系、（２）夏季やその他の季節の区分や平日・祝日区分による割引が適用される料金体系、など様々な料金体系を採用しているが、需要家は検針票に記載されている情報を見ながら、実際の電気使用形態が、多様化している料金体系のメリットを活かした使用形態になっているかなどの検討を充分に行うことは少なかった。
【０００４】
また、家庭やオフィスなどの民生部門におけるエネルギー消費量は増加しており、民生部門における省エネ促進が課題となっているが、個人に省エネの意識付けや省エネ行動の実行を求めることはなかなか難しいのが実情であった。
【０００５】
なおこれまで、電気、ガス、水道などの検針票や料金票をまとめ、その内容の理解を助け、また、月ごとの使用量や使用料金の変動を需要家が一見してチェックすることができ、さらにその記載内容の理解促進に貢献することができるエネルギー管理手帳やこれに関する先行技術は存在しなかった。
【発明の開示】
【発明が解決しようとする課題】
【０００６】
検針票や料金票には多くの有用な情報が記載されているものの、一般家庭である需要家にとってはその内容を把握し、記載内容の検討をするということが充分に行われておらず、省エネ、省資源、浪費削減への意識付けや電力負荷平準化に繋がっていないのが実情であった。
【０００７】
そのため電気に関して言えば、折角夜間料金が割安となる契約をしていたとしても、そのメリットが充分に活かされておらず、すなわち例えば電子ジャー炊飯器、食器洗い機、食器乾燥機、全自動洗濯機などタイマーを用いて夜間に稼動することで電気料金を低減することができる電気機器が電気料金の高い時間帯に使用されることも多かった。このように検針票が料金メリットのある時間帯に電気を使おうという意識付けに充分利用されておらず、電力負荷の平準化にも思うように繋がっていないといった問題があった。
【０００８】
また検針票には、これまでは需要家の電気の使用量が一般の平均使用量などと比べて多いか少ないのかを判断するための情報が提供されなかったため、電気使用量が一般と比べて多い場合であっても省エネ等への意識付けに繋がらないといった問題があった。
さらに需要家はその使用量の月別変動や時間帯別の変動を把握してこれを意識することがなく、そのため電力負荷平準化の促進に繋がっていなかった。
【０００９】
このことは電気料金に限らず他のガス料金、水道料金など月ごとに使用量や請求金額（使用料金）が変動するものについても同様のことが言え、当月分の使用量や請求金額が一般平均等と比較されないため、その使用量の削減への動機付けや取り組みがなされないといった問題があった。
【００１０】
本発明は上記問題点に鑑みて創案されたものであり、その第１の目的は月ごとに変動する電気、ガス、水道などの使用量や使用料金が記載され、かつ、毎月配布される検針票（料金票）の紛失を防いでまとめるとともに、その使用量や使用料金の変動を把握・比較するためのエネルギー管理手帳を提供することにある。
また本発明の第２の目的は、検針票（料金票）の紛失防止、使用量や請求金額（使用料金）の比較のほか、電気料金の検針票の理解を容易化して電力の使用実態の把握を助け、省エネの意識付けや料金メリットのある時間帯での電気機器の使用を促進し、結果として省エネの促進や電力負荷平準化に資することができるエネルギー管理手帳を提供することにある。
【課題を解決するための手段】
【００１１】
上記課題を解決するために本発明のエネルギー管理手帳は、表紙（２）および裏表紙（４）に綴じ込んで固定される各種頁（６）を備えたエネルギー管理手帳（１０）であって、前記各種頁には、毎月配布される検針票（８）を貼付又はクリップするための添付用頁（１２）および前記検針票に記載された所定項目（Ａ）の月別の変動を記入するための記入用頁（１４）が含まれる、ことを特徴とする。
【００１２】
ここで、前記添付用頁（１２）には、毎月配布される同種の検針票（８）が新しい検針票を上側にして重ねて貼付又はクリップされる。
【００１３】
また、前記各種頁（６）には、前記検針票（８）の表面を覆い、かつ、検針票を覆った状態で前記所定項目（Ａ）の読み取りを可能とすべく所定事項が記載された位置に対応する部分のみが開口し又は透明の窓部（１６）が形成された有色の検針票覆シート（１８）が添付用頁の前ページに更に含まれる、ことが好ましい。
【００１４】
さらに、前記検針票覆シート（１８）の前記窓部（１６）の近傍には、窓部を通して読み取られる前記検針票（８）の所定項目（Ａ）に関するガイダンスが印刷されている、ことも好ましい。
【００１５】
また、前記検針票覆シート（１８）は、表紙（２）を兼用する、ものとすることもできる。
【００１６】
さらに、前記記入用頁（１４）には、記入される所定項目（Ａ）の比較指標となる基準値（Ｂ）が予め印刷されている、ことも好ましい。
【００１７】
ここで、前記検針票（８）は電力の検針票（８’）であり、前記所定項目（Ａ）は電気の使用量又は使用料金である、ものとする。
【００１８】
また、前記電力の検針票（８’）に時間帯別の電気の使用量又は／及び使用料金が記載されている場合に、前記記入用頁には時間帯別の電気の使用量又は使用料金の月別の変動が記入される、ことが好ましい。
【００１９】
なお、前記基準値（Ｂ）は、同一契約かつ同一地域の需要家の電気使用量又は電気料金の平均値や、同一需要家の前年同月の電気使用量又は電気料金である、ものとする。
【発明の効果】
【００２０】
請求項１に記載のエネルギー管理手帳によれば、検針票（料金票）を貼付するための添付用頁があるため需要家が毎月配布される検針票をこれに貼り付けることでその紛失を防止することができ、また、検針票に記載された使用量や使用料金等の所定項目を記入するための記入用頁に需要家に所定項目を自ら記入させることで、月ごとの電気、ガス、水道などの使用量や使用料金の変動・動向を把握させることができる。これにより需要家に省エネルギーや浪費防止の意識付けを行うことができるようになる。
【００２１】
請求項２に記載の発明によれば、同種の検針票が一の添付用頁に重ねて貼付されるため、一種の検針票に要する添付用頁が１枚で済み、エネルギー管理手帳のコストを低減することができる。なお単一のエネルギー管理手帳に、各種検針票を貼付するための添付用頁と、その所定項目の変動を記入するための記入用ページをそれぞれ設けてやることも可能である。
【００２２】
請求項３に記載の発明によれば、検針票の表面を覆った状態で所定項目のみを読み取り可能とする窓部が形成された有色（白色を含む）の検針票覆シートを用いることで、月ごとの電気、ガス、水道などの使用量や請求金額などの所定項目を需要家が一見して判別できるようになり、これにより検針票に記載された使用量や使用料金等の記入用頁への記入を容易化させることができる。
【００２３】
請求項４に記載の発明によれば、検針票覆シートに開口する窓部の近傍に窓部から読み取られる所定項目に関するガイダンスを予め印刷しておくことで、窓部を通して読み取られる情報が何であるかを一層解り易くすることができる。また、その項目の説明などを印刷しておけば、検針票の内容の理解促進や省エネ等の動機付けの強化を図ることができる。
【００２４】
請求項５に記載の発明によれば、検針票覆シートを表紙と兼用することでエネルギー管理手帳のコストを低減することができる。
【００２５】
請求項６に記載の発明によれば、検針票の所定項目が記入される記入用頁に予め比較指標となる基準値を印刷しておくことで、各需要家は自己の所定項目の値が一般と比べて多いのか少ないのかを判断することができ、その値が一般と比して多い場合には省エネルギーや使用形態の変更を意識付けることができる。
【００２６】
請求項７に記載の発明は、特に多様な料金体系である電力の検針票（料金票）の理解の容易化、電気の使用量や請求金額の変動・動向の把握の容易化を図ることで電力使用の現状を把握させるものである。本発明のエネルギー管理手帳によれば、需要家に省エネルギーや安い夜間電力の使用を意識付けることができ、省エネ促進、電力負荷の平準化に寄与することができる。
【００２７】
請求項８に記載の発明によれば、その契約体系により時間帯別の料金が異なる電気料金を、その時間帯別に記入用頁に記入させることで、時間帯別の電力使用実態を意識付け、これにより料金メリットの大きい時間帯での電気機器の使用を促すことができる。
【００２８】
請求項９および請求項１０に記載の発明は、需要者に特に電気使用の現状把握およびその比較を行わせることを目的としたもので、比較の対象となる基準値として同一契約かつ同一地域の需要家の電気使用量又は電気料金の平均値や、同一需要家の前年同月の電気使用量又は電気料金の情報を提供することで、電気の省エネルギーや安い夜間電力の使用を意識付けるものである。
【発明を実施するための最良の形態】
【００２９】
以下、毎月配布される電気の使用量又は使用料金を記載した電力の検針票をまとめるためのエネルギー管理手帳を例に説明するが、まず本発明のエネルギー管理手帳の内容および用途を理解するための前提として検針票に記載される内容について詳述する。
【００３０】
図１に電気の検針票である「電気ご使用量のお知らせ」を示した。この検針票８’には（ａ）契約番号、（ｂ）契約種別、（ｃ）契約容量、（ｄ）使用量、（ｅ）請求予定額、（ｆ）今月指示数・前月指示数・使用量、（ｇ）燃料費調整単価、（ｈ）前月および前年同月の使用量、のほか、口座振替の需要家には（ｉ）領収金額、などが記載されている。
【００３１】
この需要家の契約種別は（ｂ）の記載から季節別時間帯別電灯契約であることが分かる。季節別時間帯別電灯の契約とは、夏季（毎年７月１日から９月３０日）とその他季（毎年１０月１日から翌年６月３０日）に季節を区分するととともに、昼間時間（毎日午前１０時から午後５時）／朝晩時間（毎日午前８時から午前１０時、毎日午後５時から午後１１時）／夜間時間（毎日午後１１時から翌朝の午前８時）に時間帯を区分し、電気の消費量が多い季節／時間帯の電気料金を割高に設定する一方、電気の消費量が少ない季節／時間帯の電気料金を大幅に割安に設定することで電力の負荷平準化を達成しようとするものである。
【００３２】
そのためこの需要家の検針票８’の（ｆ）の今月指示数・前月指示数・使用量欄には、今月指示数から前月指示数を差し引いた当月分の電気の使用量が、昼間時間の電気の使用量を「電灯ディ」として、朝晩時間の電気の使用量を「電灯ファミリ」として、夜間時間の電気の使用量を「電灯ナイト」として記載されている。またこの検針票の需要家のように電気温水器や蓄熱式床暖房などの夜間電力を利用して蓄熱を行う夜間蓄熱式機器がある住宅では、「蓄熱ナイト」の欄が追加されてその夜間電気の使用量が記載される。
【００３３】
図２に本実施例のエネルギー管理手帳の構成を示す斜視図を表した。
このエネルギー管理手帳１０は図に示したように、表紙２及び裏表紙４に、表紙側から順に検針票覆シート1８、添付用頁１２、記入用頁１４、情報提供頁２１を綴じ込んで一冊にまとめたもので、検針票覆シート、添付用頁、記入用頁、情報提供頁は同じ大きさを有している。その大きさは添付用頁１２に貼付される検針票８’が手帳からはみ出すことのないような大きさとなっている。なお表紙および裏表紙は添付用頁等よりも一回り大きくなっている。
【００３４】
表紙２及び裏表紙４は一連の厚紙又は合成樹脂の薄板をその長手方向中央部分で二つ折りにして形成したものであり、その開閉が容易に行えるようになっている。なお、綴じ込むものが厚くなる場合には、表紙と裏表紙を閉じた状態でその間に一定の空間ができるように一定の厚みを形成する背部分を表紙と裏表紙の接合部に設けてやってもよい。
【００３５】
図３に添付用頁を示した。
添付用頁１２は一枚の紙であり、その表紙側の面には検針票８’を貼付する位置が破線の枠で印刷されて示されている。また、検針票の貼付を適切に行わせるために貼付方法の説明が記載されている。この説明は、矩形の検針票８’の左側一端辺のみに糊を付け、毎月配布される検針票を新しい検針票が前月の検針票の上側になるように重ねて貼付するよう示した内容となっている。検針票の左側の一端のみを貼り付け、かつ、新しい検針票が上側になるように重ねて貼付させることとしたのは、上側の検針票をめくることによって下側の検針票の記載内容を見ることができるようにするためである。
また検針票８’の裏面側の左側一端辺に粘着シールや水分により粘着力を発生する糊を予め加工しておくことも好ましく、かかる加工によれば需要家の検針票貼付の手間を軽減することができる。
なお添付用頁１２の表面側の綴じ込み近傍に複数の検針票をまとめることができるクリップ機構を設けてやれば、需要家の糊付けの手間をなくすことができる。
この添付用頁により毎月配布される検針票の紛失を防いでまとめるとともに、後述する検針票覆シートを機能させることができる。
【００３６】
図４に記入用頁を示した。なおこの記入用頁には１月から７月までのグラフが需要家によって記入されている。
記入用頁１４は１枚の紙であり、各紙の表紙側の面には１月から１２月の一年間の電気の使用量を記入するためのグラフテーブルが印刷されている。このグラフテーブルは横軸が月、縦軸が電気の使用量を示している。グラフテーブルには毎月の電気の使用量を棒グラフで記入するようになっており、図１の検針票８’の料金体系の需要家の場合には、下側から順に電灯ディ、電灯ファミリ、電灯ナイト、蓄熱ナイトの各使用量を、需要者自身が累積して棒グラフで記入する。
このように記入用頁１４に電気の使用量を記入させることで、需要家に電気の使用量の変動・動向を把握させ、これにより需要家に省エネや浪費防止の意識付けをすることができる。
またこのエネルギー管理手帳１０の記入用頁に需要家自身が、電灯ディ、電灯ファミリ、電灯ナイト、蓄熱ナイトの各使用量を記入することで、時間帯別の電力使用実態の把握を促進することができる。これにより、電気の省エネルギーや安い夜間電力の使用を意識付け、料金メリットの大きい時間帯での電気機器の使用を促すことで、電力負荷の平準化に寄与することができる。
ここでグラフテーブルには、その需要家の前年各月の、電灯ディの使用量、電灯ファミリの使用量（電灯ディの使用量との累積）、電灯ナイトの使用量（電灯ディの使用量と電灯ファミリの使用量との累積）、蓄熱ナイトの使用量（＝電気総使用量）が比較指標となる基準値Ｂとして色分けされて折れ線グラフで予め印刷されている。すなわち需要家はグラフテーブルの折れ線グラフに重ねて棒グラフの記入を行うことになる。
なお、前年各月の電気総使用量等の折れ線グラフに代えて、または前年各月の電気総使用量等の折れ線グラフとともに、同一契約かつ同一地域の需要家の電気使用量の平均値（総使用量や時間帯別使用量）が折れ線グラフによって予め印刷されていることも好ましい。
記入用頁に予め比較指標となる基準値を印刷しておくことで、各需要家は自己の電気使用量が、前年同月の使用量や同一契約家族構成同一地域の需要家の使用量の平均と比べて多いのか少ないのかを判断することができ、その使用量が多い場合には省エネルギーや使用態様の変更を意識するようになる。また料金メリットのある時間帯での電気機器の使用を意識付けることで、電力負荷平準化に資することができる。
なお添付用頁１２の裏面にグラフの記入の例などを印刷しておけば、需要家が記入用頁にグラフを記入する際にこれを参照しながらスムーズに記入を行うことができる。
【００３７】
図５に検針票を覆った状態の検針票覆シートを示した。
この検針票覆シート1８は有色（又は半透明）の合成樹脂でできた１枚の薄いシートであり、検針票８’の表面に被せた状態で、検針票の（ｄ）使用量（使用期間の部分を含む）、（ｆ）今月指示数・前月指示数・使用量、（ｈ）前月および前年同月の使用量、の記載が読み取れるように、それらの項目が記載された位置に対応する部分には透明の窓部１６が形成されている。ここで（ｆ）の「電灯ディ」、「電灯ファミリ」、「電灯ナイト」、「蓄熱ナイト」の記載および、それらの各「使用量」の記載は透明の窓部１６の上の赤枠によって囲まれるようになっており、その近傍には各「使用量」の数値をもとに記入用頁１４にグラフを記入する旨のガイダンスが印刷されている。また検針票覆シート上の空きスペースには検針票８’の記載内容の理解を促進するためのガイダンスや料金メリットのある時間帯での電気の使用を意識付けるコメントが記載されている。
このように検針票覆シート1８によって検針票８’を覆い、検針票に記載された多くの情報中から電気使用量に関する記載のみを読み取り可能とし、かつ、その記載に関するガイダンスを示すことで、需要家は一見して電気の使用量の判別を行うことができる。これにより需要家に、検針票８’の記載内容の検討を促し、また、スムーズに記入用頁にグラフを記入させることが可能となる。
【００３８】
図面は省略するが手帳の最後のページとなる情報提供頁も１枚の紙であり、その表面にはメモ欄のほか、電気の上手な使い方等のような情報が印刷されている。その情報の一例としては、「夜間の電気料金は昼間の電気料金の約１／３です」「ビデオデッキの主電源をＯＦＦにすると一日当たり約○○ｋｗｈの省エネになります」などがある。また裏表紙４の内側の面にこれらの情報を印刷することで、裏表紙と情報提供頁を兼用することもできる。
【００３９】
なお本発明は、毎月配布される検針票（料金票）の紛失を防ぎ、月ごとに変動する使用量や使用料金の変動を把握させるために貢献するものであれば、上述した発明の実施の形態に限定されず、本発明の要旨を逸脱しない範囲で種々変更できることは勿論である。
例えば、電気使用量においてそのグラフの記入を総使用量のみについて行わせたり、「電灯ディ」「電灯ファミリ」「電灯ナイト」「蓄熱ナイト」の使用量をそれぞれに用意した記入用頁にグラフ化させても良い。また電気、ガス、水道などの使用量や使用料金を記載した検針票（料金検針票）を全て1冊のエネルギー管理手帳にまとめ、それぞれについてグラフを記入させるなど様々な変更をすることができる。
【産業上の利用可能性】
【００４０】
本発明のエネルギー管理手帳は、毎月配布されその使用量や使用料金が変動する検針票をまとめ、その変動を需要者に把握させることで省エネ、省資源、浪費削減等の意識付けに資するものであれば、電気等の使用量に限らず、従量制の種々の請求書にも適用することができる。
【図面の簡単な説明】
【００４１】
【図１】毎月配布される電気の検針票である。
【図２】本発明のエネルギー管理手帳を開いた状態の斜視図である。
【図３】添付用頁を示した図である。
【図４】記入用頁を示した図である。
【図５】検針票を覆った状態の検針票覆シートを示した図である。
【符号の説明】
【００４２】
２  表紙
４  裏表紙
６  各種頁
８  検針票
８’  電力の検針票
１０  エネルギー管理手帳
１２  添付用頁
１４  記入用頁
１６  窓部
１８  検針票覆シート（料金票覆シート）
２１  情報提供頁
Ａ  所定項目
Ｂ  基準値
【図１】
2006001067.tif 000003
【図２】
2006001067.tif 000004
【図３】
2006001067.tif 000005
【図４】
2006001067.tif 000006
【図５】
2006001067.tif 000007